(57)【特許請求の範囲】
【請求項１】
周期律表の第Ｉｂ族又は第IIｂ族を含む導電体若しくは同族を導電体に被覆した金属材料からなるカソードと、不溶性金属材料からなる塩素発生可能なアノード及び鉄材料からなるアノードとを組とした一組又は複数組の電極が処理槽内に配設されていることを特徴とする電解式汚水処理装置。
【請求項２】
前記アノードを構成する不溶性金属材料は白金イリジウム合金であり、前記カソードを構成する金属材料は銅を含む合金であることを特徴とする請求項１記載の電解式汚水処理装置。
【請求項３】
前記一組又は複数組の電極は、カソードを中央位置とし、その一方側に所定間隔を置いて前記不溶性金属材料からなるアノードを配置し、他方側に所定間隔を置いて前記鉄材料からなるアノードを配置するように構成されていることを特徴とする請求項１又は２記載の電解式汚水処理装置。
【請求項４】
前記鉄材料からなるアノードは、処理水に浸漬している鉄材料の容積が略一定となるように鉄材料を自動的に補給可能に構成されていることを特徴とする請求項１〜３の何れか１項記載の電解式汚水処理装置。
【請求項５】
前記鉄材料からなるアノードは、処理水中に浸漬している鉄材料が不動態化する前に溶出して消失するように、処理水に浸漬している鉄材料の容積が設定されていることを特徴とする請求項４記載の電解式汚水処理装置。
【請求項６】
前記鉄材料からなるアノードは、鉄製球状物を保管する保管部と、この保管部の下方に連通し、保管部から鉄製球状物が重量により自動的に装填されるように下方の槽内処理水中に延びる面状容器部と、前記保管部及び面状容器部に保有される鉄製球状物と、この鉄製球状物に電気的に導通するように前記面状容器部に挿入された不溶性金属材料製の板部材とから構成されていることを特徴とする請求項５記載の電解式汚水処理装置。
【請求項７】
前記鉄材料からなるアノードにおける前記不溶性金属材料製の板部材は、前記面状容器部の側面部に沿うように構成された垂直面部と、前記面状容器部の底壁を構成する水平面部とが一体に形成されていることを特徴とする請求項６記載の電解式汚水処理装置。
【請求項８】
前記鉄材料からなるアノードにおける前記面状容器部は、前記カソードに対向する面部が広く形成されていることを特徴とする請求項７記載の電解式汚水処理装置。
【請求項９】
請求項１〜８記載の何れか１項記載の電解式汚水処理装置において、前記処理槽の底部に凝集物や汚泥を堆積させるスペースが設けられていることを特徴とする電解式汚水処理装置。
【請求項１０】
請求項９記載の電解式汚水処理装置において、前記処理槽の底部に散気管が設けられていることを特徴とする電解式汚水処理装置。
【請求項１１】
処理水中の有機物を嫌気性微生物により嫌気分解する嫌気槽と、嫌気槽で嫌気処理された処理水を好気性微生物により好気分解する好気槽と、好気槽で好気分解された処理水を沈殿物と上澄み液とに分離する沈殿槽あるいは処理水槽と、沈殿槽あるいは処理水槽で分離された上澄み液を電解処理する請求項１〜１０の何れか１項記載の電解式汚水処理装置と、電解式汚水処理装置で処理された処理水を前記嫌気槽に返送する配管とを備えたことを特徴とする汚水処理施設。
【発明の詳細な説明】
【０００１】
【発明の属する技術分野】
本発明は、汚水を浄化する電解式汚水処理装置及びこれを用いた汚水処理施設に関し、特に、汚水からリン及び窒素化合物を除去するものに関する。
【０００２】
【従来の技術】
この種汚水処理装置としては、例えば特開平１０−１９２８６９号公報に記載のものが知られている。この汚水処理装置は、処理水中の有機物を嫌気性微生物により嫌気分解する第１及び第２嫌気濾床槽、第２嫌気濾床槽で嫌気処理された処理水を好気性微生物により好気分解する接触ばっ気槽（好気槽）、接触ばっ気槽で好気分解された処理水を沈殿物と上澄み液とに分離する沈殿槽、沈殿槽で分離された上澄み液を電解処理する電解式汚水処理装置、沈殿槽から溶出槽に移送する沈殿槽の上澄み液量を調節する分水計量装置、沈殿槽の上澄み液を消毒してタンク外に排出する消毒槽などから構成されていた。
【０００３】
また、従来の汚水処理装置においては、リンの除去は次のようにして行われていた。溶出槽に鉄電極をアノード及びカソードとする一対又は複数対の電極を設け、これら電極の極性を反転可能として構成する。アノードとして作用する鉄電極から２価の鉄イオンを処理水中に供給して酸化させて３価の鉄イオンとし、この３価の鉄イオンを処理水中のオルトリン酸と反応させて難溶性リン化合物として凝集沈殿させる。３価の鉄イオンが存在する溶出槽の処理水を第１嫌気濾床槽に返送し、この３価の鉄イオンを第１嫌気濾床槽内に存在するオルトリン酸と反応させて難溶解性リン酸化合物として凝集沈殿させる。そして、この凝集沈殿を排出することによりリンを除去していた。
【０００４】
また、上記従来の汚水処理装置において、窒素化合物の除去は次のようにして行われていた。第１嫌気濾床槽及び第２嫌気濾床槽で有機性の窒素をアンモニア性窒素に嫌気分解する。次いで、接触ばっ気槽において、硝酸菌や亞硝酸菌の働きによりアンモニア性窒素を硝酸性窒素や亞硝酸性窒素に分解する。溶出槽を経て第１嫌気濾床槽に返送されてきた硝酸性窒素や亞硝酸性窒素を、第１嫌気濾床槽に多く存在する脱窒菌により還元して窒素ガスとする。そして、この窒素ガスを排出することにより窒素化合物を除去していた。
【０００５】
【発明が解決しようとする課題】
このように従来の汚水処理装置では、窒素化合物の除去は、接触ばっ気槽においてアンモニア性窒素を硝酸性窒素や亞硝酸性窒素に分解するという生物処理に依存して行われていた。しかし、冬場は外気温度の低下に伴い生物処理機能が低下するため、窒素化合物の除去能力が低下するという問題があった。
【０００６】
本発明は、このような従来技術に存在する問題点に鑑みされたものである。その目的とするところは、リン及び窒素化合物の除去を目的とした汚水処理装置において、外気温度の低下に伴う窒素化合物の除去能力の低下を防止することにある。
【０００７】
【課題を解決するための手段】
本発明に係る電解式汚水処理装置は、周期律表の第Ｉｂ族又は第IIｂ族を含む導電体若しくは同族を導電体に被覆した金属材料からなるカソードと、不溶性金属材料からなる塩素発生可能なアノード及び鉄材料からなるアノードとを組とした一組又は複数組の電極が処理槽内に配設されていることを特徴とする。
このように構成すると、カソード側で硝酸イオン及び亞硝酸イオンが還元反応によりアンモニアに変換される。また、不溶性金属材料からなるアノード側で不溶性金属材料の表面から活性酸素及び次亜塩素酸が発生し、処理水中のアンモニアの脱窒作用により窒素ガスが生成される。したがって、この窒素ガスを放出することにより窒素酸化物の除去を行うことができる。また、鉄材料からなるアノードから２価の鉄イオンが処理水中に供給され、酸化されて３価の鉄イオンとなる。この３価の鉄イオンは処理水中のオルトリン酸と反応して難溶性リン化合物として凝集沈殿する。したがって、この凝集沈殿物を廃棄することによりリンの除去を行うことができる。
このように、窒素化合物の除去は電解処理により行われるので、従来の汚水処理装置で行われていた生物処理に依存した装置のように、外気温度が低下する冬場に窒素化合物の処理能力が低下するおそれがない。また、一つの処理槽でリン及び窒素化合物を除去することができる。
【０００８】
上記構成の電解式汚水処理装置において、前記アノードを構成する不溶性金属材料として白金イリジウム合金を用い、前記カソードを構成する金属材料として銅を含む合金を用いると、低コストで、かつ良好な性能が得られる。
【０００９】
また、前記一組又は複数組の電極を、カソードを中央位置とし、その一方側に所定間隔を置いて前記不溶性金属材料からなるアノードを配置し、他方側に所定間隔を置いて前記鉄材料からなるアノードを配置するように構成することが好ましい。このようにすれば、それぞれの極間寸法を他の極に影響されることなく適正とすることができるので、最適な電圧で効率よく電解処理を行うことができる。
【００１０】
また、前記鉄材料からなるアノードを、処理水に浸漬している鉄材料の容積が略一定となるように、鉄材料を自動的に補給可能に構成してもよい。
このように構成すれば、鉄材料からなるアノードを交換することなく継続的に使用してリン除去を行うことができる。
【００１１】
また、前記鉄材料からなるアノードは、処理水中に浸漬している鉄材料が不動態化する前に溶出して消失するように、処理水に浸漬している鉄材料の容積が設定されていることが好ましい。
このように構成すると、鉄材料からなるアノードは、不動態化されて鉄イオン溶出能力が所定量以下になることがない。また、鉄材料からなるアノードは、極性を反転させる必要がないので、アノードのコストを軽減することができる。
【００１２】
また、このような鉄材料からなるアノードは、鉄製球状物を保管する保管部と、この保管部の下方に連通し、保管部から鉄製球状物が重量により自動的に装填されるように下方の槽内処理水中に延びる面状容器部と、前記保管部及び面状容器部に保有される鉄製球状物と、この鉄製球状物に電気的に導通するように前記面状容器部に挿入された不溶性金属材料製の板部材とから構成することができる。
このように構成すると、簡易な構成により、かつ、確実に面状容器部の中に装填されている鉄製球状物を自動的に補給することができる。
【００１３】
また、前記鉄材料からなるアノードにおける前記不溶性金属材料製の板部材を、前記面状容器部の側面部に沿うように構成された垂直面部と、前記面状容器部の底壁を構成する水平面部とを一体に形成したものとすることができる。
このように構成すると、鉄製球状物への導電機構と鉄製球状物の保持機構が簡略化され、コスト軽減を図ることができる。
【００１４】
また、前記面状容器部は、前記カソードに対向する面部を広く形成することが好ましい。このように構成すると、平行平板電極とすることができ、電解処理を効率よく行うことができる。
【００１５】
また、上記のように構成される電解式汚水処理装置において、処理槽の底部に凝集物や汚泥を堆積させるスペースを設けると、難溶性リン化合物からなる凝集物や汚泥を容易に廃棄することが可能となる。
また、処理槽の底部に散気管を設けると、処理槽内の処理水を撹拌することができ、底部に溜まった汚泥が電極表面に付着するのを防止することができる。したがって、汚泥が電極表面に付着して鉄の溶出効率や塩素の発生効率が低下するのを防止することができる。
【００１６】
また、本発明に係る汚水処理施設は、処理水中の有機物を嫌気性微生物により嫌気分解する嫌気槽と、嫌気槽で嫌気処理された処理水を好気性微生物により好気分解する好気槽と、好気槽で好気分解された処理水を沈殿物と上澄み液とに分離する沈殿槽あるいは処理水槽と、沈殿槽で分離された上澄み液を電解処理する上記何れかの電解式汚水処理装置と、電解式汚水処理装置で処理された処理水を前記嫌気槽に移送する配管とを備えたことを特徴とする。
このように構成すると、生物処理による窒素化合物の除去と、電解処理によるリン除去及び窒素化合物の除去とを同時に行うことができる。
【００１７】
【発明の実施の形態】
以下、本発明を汚水処理施設に具体化した実施の形態１につき、図１〜図５に基づいて説明する。なお、図１は汚水処理施設の全体構成図であり、図２は同汚水処理施設に用いられている電解式汚水処理装置のカソードを正面側からが見た断面図であり、図３は同電解式汚水処理装置の側断面図であり、図４は同電解式汚水処理装置の鉄材料からなるアノードを背面側から見た断面図であり、図５は同電解式汚水処理装置における電極の配線図である。
【００１８】
汚水処理施設１は、地中に埋設されたタンク１ａの内部を仕切り壁２、３、４、４ａにより第１嫌気濾床槽５、第２嫌気濾床槽６、接触ばっ気槽７、沈殿槽８、消毒槽９に区画して構成されている。また、沈殿槽８から第１嫌気濾床槽５への返送管８ｂに電解式汚水処理装置１０、分水計量装置１１が設けられている。
【００１９】
第１嫌気濾床槽５は、生活雑排水を受け入れる槽である。処理水流入口５ａから第１嫌気濾床槽５に流入した生活雑排水中に混入している難解性の夾雑物を沈殿分離し、第１嫌気濾床５ｂに付着した嫌気性微生物を嫌気分解する。また、有機性の窒素をアンモニア性窒素に分解する。嫌気分解された処理水は移送管５ｃにより第２嫌気濾床槽６に移送される。
【００２０】
第２嫌気濾床槽６は、内部に設けた第２嫌気濾床６ａにより浮遊物質を捕捉し、嫌気性微生物により有機物を嫌気分解するとともに、有機性の窒素をアンモニア性窒素に分解する。嫌気分解された処理水は間欠式空気圧式ポンプ６ｂにより移送管６ｃを介し接触ばっ気槽７に移送される。
【００２１】
接触ばっ気槽７は、内部に設けた接触材７ａにより好気性微生物の培養を促進している。また、接触ばっ気槽７は、底部に配設した散気管７ｂから空気を放出して接触ばっ気槽７内を好気状態に維持する。そして、処理水を好気性微生物により好気分解するとともに、硝酸菌や亞硝酸菌の働きによりアンモニア性窒素を硝酸性窒素や亞硝酸性窒素に分解する。
【００２２】
沈殿槽８は、接触ばっ気槽７で好気分解されて移送管７ｃを介し流入した処理水を沈殿物と上澄み液とに分離する。この上澄み液の一部は、消毒槽９で消毒装置９ａに備えた塩素系等の薬品により消毒されて排水口９ｂからタンク１ａ外に排水される。また、上澄み液の他部は、エアリフト８ａにより汲み上げられ、分水計量装置１１で流量調整され、返送管８ｂを介して電解式汚水処理装置１０に移送される。
【００２３】
電解式汚水処理装置１０は、一側に返送管８ｂを接続し、他側に処理水流出管５ｄを有している。また、処理槽１０ａ内には、周期律表の第Ｉｂ族又は第IIｂ族を含む導電体若しくは同族を導電体に被覆した金属材料からなるカソード１４、不溶性金属材料からなる塩素発生可能なアノード１５及び鉄材料からなるアノード１６を組とした一組の電極１３が設けられている。
【００２４】
カソード１４を構成する具体的金属材料としては、銅と亜鉛の合金或いは燒結合金、銅と鉄の合金或いは燒結合金、銅とニッケルの合金或いは燒結合金、又は銅とアルミニウムの合金或いは燒結合金から構成されたものを使用することができる。また、アノード１５を構成する不溶性金属材料には、白金、イリジウム、パラジウム又はその酸化物などから構成される不溶性金属材料又はカーボンを用いることができる。なお、本実施の形態においては、アノード１５を構成する不溶性金属材料には白金イリジウムの合金が用いられ、カソード１４には銅を含む合金が用いられている。また、アノード１５を構成する不溶性金属材料の表面には塩素を発生させる触媒が塗布されている。
【００２５】
また、前記一組の電極は、処理槽１０ａ内においてカソード１４を中央位置とし、その一方側に所定間隔を置いて不溶性金属材料からなるアノード１５が配置され、他方側に所定間隔を置いて不溶性金属材料からなるアノード１６が配置されている。
【００２６】
また、鉄材料からなるアノード１６は、鉄製球状物２３を保管する保管部２１と、この保管部２１の下方に連通し、保管部２１から鉄製球状物２３が重量により自動的に装填されるように下方の処理槽１０ａ内に延びる面状容器部２２と、保管部２１及び面状容器部２２に保有される鉄製球状物２３と、この鉄製球状物２３に電気的に導通するように面状容器部２２に挿入された不溶性金属材料製の板部材２４とから構成されている。また、不溶性金属材料製の板部材２４は、面状容器部２２の側面部に沿うように構成された垂直面部２４ａと、面状容器部２２の底壁を構成する水平面部２４ｂとが一体に形成されている。また、面状容器部２２は、カソード１４に対向する面部が広く形成され、この面部の処理水に浸漬する部分２２ａが網状に開口されている。
【００２７】
また、電解式汚水処理装置１０の底部には、散気管１７が設けられている。散気管１７は、図示しないブロワから空気が送られることにより、散気管１７の管壁に設けられた空気吹出口（図示しない）から空気を吹き出し、カソード１４、アノード１５、１６の各表面の生物膜や硝酸イオン等に起因する不動態膜等の膜を除去する。
【００２８】
上記のように構成された電解式汚水処理装置１０においては、処理水である沈殿槽８の上澄み液が返送管８ｂを介して電解式汚水処理装置１０に送られてくる。電極１３をオンとして、カソード１４及びアノード１５、１６に通電されると、カソード１４側では、処理水中に含まれる硝酸イオンが還元反応により亞硝酸イオンに変換される（反応Ａ）。また、硝酸イオンの還元反応により生成された亞硝酸イオンは、更に、還元反応によりアンモニアに変換される（反応Ｂ）。以下に反応Ａ及び反応Ｂを示す。
反応Ａ  ＮＯ3-＋Ｈ2Ｏ＋２ｅ-→ＮＯ2-＋２ＯＨ-
反応Ｂ  ＮＯ2-＋５Ｈ2Ｏ＋６ｅ-→ＮＨ3（ａｑ）＋７ＯＨ-
【００２９】
一方、アノード１５側では表面から活性酸素や次亜塩素酸が発生し、これにより処理水中におけるアンモニアの脱窒作用により窒素ガスを生成する（反応Ｃ乃至反応Ｆ）。以下に反応Ｃ乃至反応Ｆを示す。
0003913580.tif 000002
【００３０】
これにより、処理水中の硝酸性窒素、亞硝酸性窒素及びアンモニア性窒素などの窒素化合物を窒素ガスに変換する。また、この窒素ガスを放出することにより窒素を除去するように構成している。
【００３１】
また、鉄材料からなるアノード１６では、２価の鉄イオン（Ｆｅ2+）が生成される。アノード１６で生成された２価の鉄イオン（Ｆｅ2+）は、空気により酸化されて３価の鉄イオン（Ｆｅ3+）となる。３価の鉄イオン（Ｆｅ3+）は、処理水中のオルトリン酸と反応し、難溶性のリン酸化合物として電解式汚水処理装置１０の底部に凝集沈殿する。このようにして電解式汚水処理装置１０の底部に凝集沈殿した難溶性のリン酸化合物を槽１０ａ外に排出することにより、リン除去が行われている。なお、鉄製球状物２３は、長時間使用されると溶出されて消失するが、消失した鉄製球状物２３の代わりに上方の保管部２１から新たな鉄製球状物２３が逐次自動的に補給される。また、面状容器部２２の処理水に浸漬する部分２２ａの大きさは、処理水中に浸漬している鉄製球状物２３が硝酸イオンや亜硝酸イオンにより不動態化される前に溶出して消失するように設定されている。
【００３２】
電解式汚水処理装置１０の処理水は、処理水流出管５ｄから第１嫌気濾床槽５に返送される。第１嫌気濾床槽５に返送された処理水中の３価の鉄イオン（Ｆｅ3+）は、第１嫌気濾床槽５内に存在するオルトリン酸と反応し、難溶性のリン酸化合物として凝集沈殿する。そして、この凝集沈殿した難溶性のリン酸化合物をタンク１ａ外に排出することによりリンが除去される。
【００３３】
実施の形態１は以上のように構成されているので次のような効果を奏する。
実施の形態１に係る汚水処理施設は、処理水中の有機物を嫌気性微生物により嫌気分解する嫌気濾床槽５、６と、嫌気濾床槽５、６で嫌気処理された処理水を好気性微生物により好気分解する接触ばっ気槽７と、接触ばっ気槽７で好気分解された処理水を沈殿物と上澄み液とに分離する沈殿槽８と、沈殿槽８で分離された上澄み液を電解処理して窒素及びリンを除去する電解式汚水処理装置１０と、この電解式汚水処理装置１０で処理された処理水を第１嫌気濾床槽５に返送する処理水流出管５ｄとを備えているので、生物処理による窒素化合物の除去と、電解処理によるリン除去及び窒素化合物の除去とを同時に行うことができる。
【００３４】
また、周期律表の第Ｉｂ族又は第IIｂ族を含む導電体若しくは同族を導電体
に被覆した金属材料からなるカソード１４と、不溶性金属材料からなる塩素発生可能なアノード１５及び鉄材料からなるアノード１６とを組とした一組の電極１３が処理槽１０ａ内に配設されているので、一つの処理槽１０ａでリン及び窒素化合物を除去することができる。また、窒素化合物の除去は、電解処理によっても行われるので、従来の汚水処理装置における生物処理に依存した窒素化合物の除去方法のように、外気温度が低下する冬場に窒素化合物の処理能力が低下するおそれがない。
【００３５】
また、アノード１６を構成する不溶性金属材料として白金イリジウム合金を用い、カソード１４を構成する金属材料として銅を含む合金を用いるので、低コストで、かつ良好な性能が得られる。
【００３６】
また、電極１３を、カソード１４を中央位置とし、その一方側に所定間隔を置いて不溶性金属材料からなるアノード１５を配置し、他方側に所定間隔を置いて鉄材料からなるアノード１６を配置するように構成しているので、それぞれの極間の寸法を他の極に影響されることなく適正とすることができる。したがって、最適な電圧で効率よく電解処理を行うことができる。
【００３７】
また、鉄材料からなるアノード１６を、処理水に浸漬している鉄製球状物２３の容積が略一定となるように、鉄製球状物２３を自動的に補給可能に構成しているので、鉄材料からなるアノード１６を交換することなく継続的に使用してリン除去を行うことができる。
【００３８】
また、鉄材料からなるアノード１６は、処理水中に浸漬している鉄製球状物２３が不動態化する前に溶出して消失するように、処理水に浸漬している鉄製球状物２３の容積が設定されているので、アノード１６が不動態化されて鉄イオン溶出能力が所定量以下になることがない。また、鉄材料からなるアノード１６の極性を反転させるような構成を採る必要がないので、アノード１６のコストを軽減することができる。
【００３９】
また、アノード１６は、鉄製球状物２３を保管する保管部２１と、この保管部２１の下方に連通し、保管部２１から鉄製球状物２３が重量により自動的に装填されるように下方の処理槽１０ａ内の処理水中に延びる面状容器部２２と、保管部２１及び面状容器部２２に保有される鉄製球状物２３と、この鉄製球状物２３に電気的に導通するように面状容器部２２に挿入された不溶性金属材料製の板部材２４とから構成されているので、面状容器部２２の中に装填されている鉄製球状物２３が溶解により消失すると、自動的に新しい鉄製球状物２３が補給される。したがって、アノード１６を新規のものと交換する必要がなく、メンテナンスが容易となる。
【００４０】
また、不溶性金属材料製の板部材２４を、面状容器部２２の側面部に沿うように構成された垂直面部２４ａと、面状容器部２２の底壁を構成する水平面部２４ｂとを一体に形成しているので、容易かつ確実に、面状容器部２２の中に装填されている鉄製球状物２３を自動的に補給することができる。
【００４１】
また、アノード１６における不溶性金属材料製の板部材２４を、面状容器部２２の側面部に沿うように構成された垂直面部２４ａと、面状容器部２２の底壁を構成する水平面部２４ｂとを一体に形成しているので、鉄製球状物２３への導電機構及び鉄製球状物２３の保持機構を簡略化しコスト軽減を行うことができる。
【００４２】
また、面状容器部２２の、カソード１４に対向する面部を広く形成しているので、平行平板電極とすることができ、電解処理を効率よく行うことができる。
また、処理槽１０ａの底部に散気管１７を設けると、処理槽１０ａ内の処理水を撹拌することができ、底部に溜まった汚泥が電極１３の表面に付着するのを防止することができる。したがって、汚泥が電極１３の表面に付着して鉄の溶出効率や塩素の発生効率が低下するのを防止することができる。
【００４３】
なお、上記実施の形態において、カソード１４、アノード１５、１６からなる電極１３を複数組とすることにより、処理水量を増大させるように変形することもできる。
【００４４】
また、上記実施の形態において、嫌気濾床槽５、６は他の形式の嫌気槽でもよい。また、接触ばっ気槽７は生物膜処理槽などの他形式の好気槽としてもよい。なお、接触ばっ気槽７に代わり生物膜処理槽を用いる場合は、沈殿槽８を処理水槽とする。
【００４５】
【発明の効果】
本発明は以上のように構成されているので、一つの電解式汚水処理装置でリンの除去及び窒素化合物の除去を行うことができる。また、電解処理により窒素化合物が除去されているので、従来の汚水処理施設のように外気温度が低下する冬場に窒素化合物の処理能力が低下するおそれがない。また、このような電解式汚水処理装置を用いた汚水処理施設では、生物処理に依存した窒素化合物の除去と共に電解処理による窒素化合物の除去が行われるので、外気温度が低下する冬場に窒素化合物の処理能力が低下するおそれがない。
【図面の簡単な説明】
【図１】本発明の実施の形態１に係る図１は汚水処理施設の全体構成図である。
【図２】同汚水処理施設に用いられている電解式汚水処理装置のカソードを正面側から見た断面図である。
【図３】同電解式汚水処理装置の側断面図である。
【図４】同電解式汚水処理装置の鉄材料からなるアノードを背面側から見た断面図である。
【図５】同電解式汚水処理装置における電極の配線図である。
【符号の説明】
１     汚水処理施設
５     嫌気濾床槽
５ｄ   処理水流出管
６     嫌気濾床槽
７     接触ばっ気槽
８     沈殿槽
８ｂ   返送管
１０   電解式汚水処理装置
１０ａ 処理槽
１３   電極
１４   カソード
１５   不溶性金属材料からなるアノード
１６   鉄材料からなるアノード
１７   散気管
２１   保管部
２２   面状容器部
２２ａ 浸漬している部分
２３   鉄製球状物
２４   板部材
【図１】
0003913580.tif 000003
【図２】
0003913580.tif 000004
【図３】
0003913580.tif 000005
【図４】
0003913580.tif 000006
【図５】
0003913580.tif 000007